(57)【要約】【課題】イオンによる効能を向上させることができることを目的とする。【解決手段】フレーム１０内に、吸込口７と吹出口８とを結ぶ循環風路１６と、アダプタ２と給気口６とを結ぶ給気風路１７を形成し、給気風路１７を循環風路１６の外側に形成したという構成にしたことにより、室内の空気は吸込口７から吸い込まれ循環風路１６を通過して吹出口８から室内へ吹き出され、熱交換形換気装置等の換気装置からの空気はアダプタ２から流入し給気風路１７を通過して給気口６から室内へ吹き出されて一部の空気が吸込口から吸い込まれて循環するので、イオン２２による効能を向上させることができるイオン発生装置付き給気グリルを得られる。【選択図】図２
2015135229.tif 000002
【特許請求の範囲】
【請求項１】
室内の天面に取り付けられ、室外からの給気流をダクトを介して前記室内へ吹き出し、前記ダクトと連通する室外側開口および前記室内の室内側開口と連通するフレームと、前記フレームの内部にイオンを放出する静電霧化手段と、前記フレームの天面または天面下方に、遠心ファンと前記遠心ファンを回転させる電動機と前記電動機を保持する天板とを設け、前記フレームの下面に中心側に前記室内から空気を吸込む吸込口と外周側に前記室内へ空気を吹出す吹出口とを有するルーバーとを備え、前記フレーム内に、前記吸込口と前記吹出口とを結ぶ循環風路と、前記室外側開口と前記室内側開口とを結ぶ給気風路を形成し、前記給気風路を前記循環風路の外側に形成したことを特徴とするイオン発生装置付き給気グリル。
【請求項２】
ルーバーの形状を、円形状としたことを特徴とする請求項１に記載のイオン発生装置付き給気グリル。
【請求項３】
ルーバーの形状を四角形状とし、室内側開口と吹出口との隣り合う２辺の交点を室内側の中心側に設けていることを特徴とする請求項１に記載のイオン発生装置付き給気グリル。
【請求項４】
室内の側壁面に取り付けられ、室外からの給気流をダクトを介して前記室内へ吹き出し、前記ダクトと連通する室外側開口および前記室内の室内側開口と連通するフレームと、前記フレームの内部にイオンを放出する静電霧化手段と、前記フレームの側面または側面近傍に、遠心ファンと前記遠心ファンを回転させる電動機と前記電動機を保持する側板とを設け、前記側壁面の室内面にルーバーを露出するイオン発生装置付き給気グリルにおいて、
前記ルーバーには、前記室内から空気を吸込む吸込口と、前記吸込口よりも上に前記室内の上方へ空気を吹出す吹出口と給気口とイオン排出口とを備え、前記フレーム内に、前記吸込口と前記吹出口とを結ぶ循環風路と、前記室外側開口と前記室内側開口とを結ぶ給気風路を形成したことを特徴とするイオン発生装置付き給気グリル。
【発明の詳細な説明】
【技術分野】
【０００１】
本発明は、室内空間の除菌や脱臭を行うイオン発生装置付き給気グリルに関するものである。
【背景技術】
【０００２】
従来、この種のイオン発生装置付き給気グリルは熱交換形換気装置等の換気装置にダクトを介して接続するものが知られている（例えば、特許文献１参照）。
【０００３】
以下、そのイオン発生装置付き給気グリルついて図１０を参照しながら説明する。
【０００４】
図８に示すように、室内１０１の天面または壁面または床面に取り付けられたイオン発生装置付き給気グリル１０２は、熱交換形換気装置等の換気装置１０３から送風する給気流１０４の通風路を形成するフレーム１０５に、イオン発生器１０６からイオンを放出することで、室内１０１へイオンを供給していた。
【０００５】
このような従来のイオン発生装置付き給気グリル１０２においては、熱交換形換気装置等の換気装置１０３から供給した空気が室内排気口１０７へ向かって流れるため、室内でイオン１０８が循環することなく排出される。また、給気流１０４を送風しないときは、フレーム１０２に給気流１０４が送風されず室内１０１へイオン１０８を供給できないため、イオン１０８を対象物１０９へ接触することができないという課題を有していた。
【先行技術文献】
【特許文献】
【０００６】
【特許文献１】特開２００９−１２７８７１号公報
【発明の概要】
【発明が解決しようとする課題】
【０００７】
このような従来のイオン発生装置付き給気グリルにおいては、熱交換形換気装置等の換気装置１０３から供給した空気が室内排気口１０７へ向かって流れるため、室内でイオン１０８が循環することなく排出される。また、給気流１０４を送風しないときは、フレーム１０２に給気流１０４が送風されず室内１０１へイオン１０８を供給できないため、イオン１０８を対象物１０９へ接触することができなくイオンによる効能が低い、という課題を有していた。
【０００８】
そこで本発明は、上記従来の課題を解決するものであり、イオンによる効能を向上させることができるイオン発生装置付き給気グリルを提供することを目的とする。
【課題を解決するための手段】
【０００９】
そして、この目的を達成するために、本発明の一態様に係るイオン発生装置付き給気グリルは、室内の天面に取り付けられ、室外からの給気流をダクトを介して前記室内へ吹き出し、前記ダクトと連通する室外側開口および前記室内の室内側開口と連通するフレームと、前記フレームの内部にイオンを放出する静電霧化手段と、前記フレームの天面または天面下方に、遠心ファンと前記遠心ファンを回転させる電動機と前記電動機を保持する天板とを設け、前記フレームの下面に中心側に前記室内から空気を吸込む吸込口と外周側に前記室内へ空気を吹出す吹出口とを有するルーバーとを備え、前記フレーム内に、前記吸込口と前記吹出口とを結ぶ循環風路と、前記室外側開口と前記室内側開口とを結ぶ給気風路を形成し、前記給気風路を前記循環風路の外側に形成したこととしたものであり、これにより所期の目的を達成するものである。
【発明の効果】
【００１０】
本発明によれば、室内の空気は吸込口から吸い込まれ循環風路を通過して吹出口から室内へ吹き出され、熱交換形換気装置等の換気装置からの空気は室外側開口から流入し給気風路を通過して室内側開口から室内へ吹き出されて、一部の空気が吸込口から吸い込まれて循環することとなるので、イオンによる効能を向上させることができる。
【図面の簡単な説明】
【００１１】
【図１】本発明の実施の形態１のイオン発生装置付き給気グリルの設置状態を示す側構成図
【図２】同イオン発生装置付き給気グリルの側構成図
【図３】同イオン発生装置付き給気グリルの床から見た平面図
【図４】同イオン発生装置付き給気グリルの床から見た設置状態を示す平面図
【図５】本発明の実施の形態２のイオン発生装置付き給気グリルの設置状態を示す側構成図
【図６】同イオン発生装置付き給気グリルの床から見た平面図
【図７】同イオン発生装置付き給気グリルの床から見た設置状態を示す平面図
【図８】本発明の実施の形態３のイオン発生装置付き給気グリルの設置状態を示す側構成図
【図９】同イオン発生装置付き給気グリルの側構成図
【図１０】従来のイオン発生装置付き給気グリルの設置状態を示す側構成図
【発明を実施するための形態】
【００１２】
本発明の一態様に係るイオン発生装置付き給気グリルは、室内の天面に取り付けられ、室外からの給気流をダクトを介して前記室内へ吹き出し、前記ダクトと連通する室外側開口および前記室内の室内側開口と連通するフレームと、前記フレームの内部にイオンを放出する静電霧化手段と、前記フレームの天面または天面下方に、遠心ファンと前記遠心ファンを回転させる電動機と前記電動機を保持する天板とを設け、前記フレームの下面の中心側に前記室内から空気を吸込む吸込口と外周側に前記室内へ空気を吹出す吹出口とを有するルーバーとを備え、前記フレーム内に、前記吸込口と前記吹出口とを結ぶ循環風路と、前記室外側開口と前記室内側開口とを結ぶ給気風路を形成し、前記給気風路を前記循環風路の外側に形成した、という構成を有する。これにより、室内の空気は吸込口から吸い込まれ循環風路を通過して吹出口から室内へ吹き出され、熱交換形換気装置等の換気装置からの空気は室外側開口から流入し給気風路を通過して室内側開口から室内へ吹き出されて一部の空気がルーバーの内側にある吸込口から吸い込まれて循環することとなるので、イオンによる効能を向上させることができる、という効果を奏する。
【００１３】
また、ルーバーの形状を、円形状とした、という構成にしてもよい。これにより、室内の空気は吸込口から吸い込まれ循環風路を通過して吹出口から天井に沿ってへ吹き出され、熱交換形換気装置等の換気装置からの空気も室外側開口から流入し給気風路を通過して室内側開口から天井に沿って吹き出されて一部の空気が吸込口から吸い込まれて循環するので、部屋全体にイオンによる効能を向上させることができる、という効果を奏する。
【００１４】
また、ルーバーの形状を四角形状とし、室内側開口と吹出口との隣り合う２辺の交点を室内側の中心側に設ける、という構成にしてもよい。これにより、２辺と対向する室内壁に向って室内の空気は吸込口から吸い込まれ循環風路を通過して吹出口から天井に沿ってへ吹き出され、熱交換形換気装置等の換気装置からの空気も室外側開口から流入し給気風路を通過して室内側開口から天井に沿って吹き出され一部の空気が吸込口から吸い込まれて循環するので、ダクトが短くても壁面を汚すことなく部屋全体にイオンによる効能を向上させることができる、という効果を奏する。
【００１５】
また、室内の側壁面に取り付けられ、室外からの給気流をダクトを介して前記室内へ吹き出し、前記ダクトと連通する室外側開口および前記室内の室内側開口と連通するフレームと、前記フレームの内部にイオンを放出する静電霧化手段と、前記フレームの側面または側面近傍に、遠心ファンと前記遠心ファンを回転させる電動機と前記電動機を保持する側板とを設け、前記側壁面の室内面にルーバーを露出するイオン発生装置付き給気グリルにおいて、前記ルーバーには、前記室内から空気を吸込む吸込口と、前記吸込口よりも上に前記室内の上方へ空気を吹出す吹出口と給気口とイオン排出口とを備え、前記フレーム内に、前記吸込口と前記吹出口とを結ぶ循環風路と、前記室外側開口と前記室内側開口とを結ぶ給気風路を形成した、という構成にしてもよい。これにより、例えば冬期に給気する空気と室内空気とイオンをミキシングかつ上方へ吹出すことで、室内の人へのコールド感を低減し、部屋の温度ムラを低減しつつ、イオンを部屋全体に循環させるので、部屋全体にイオンによる効能を向上させることができる。
【００１６】
以下、本発明の実施の形態について図面を参照しながら説明する。
【００１７】
（実施の形態１）
図１〜４に示すように、天井１００に本体１を埋め込み、熱交換形換気装置等の換気装置１０３と室外側開口としてのアダプタ２とをダクト３で接続し、天井１００からイオンを発生させるイオン発生装置に係るものであり、図２に示すように、本体１は円筒状を有しており、下方にはフランジ４を有し、フランジ４の下方にはダクト３を介して室外からの室外の給気流５を室内へ供給する室内側開口としての円周状の給気口６と、室内から空気を吸込む円周状の吸込口７と、室内へ空気を吹出す円周状の吹出口８とを有するルーバー９を設け、ルーバー９の中心側に吸込口７、その外周側に吹出口８、更にその外周側に給気口６を設けた構造となっている。
【００１８】
本体１のフレーム１０には、遠心ファンとして円周状へ空気を吹き出す構成のターボファン１１と、ターボファン１１を回転させる電動機１２を有し、電動機１２を保持する天板１３をフレーム１０の上方側に設けたうえ、天板１３の下方には電動機１２に接続するターボファン１１を組み込んで構成されている。
【００１９】
なお、電動機１２は、直流（ＤＣ）でも交流（ＡＣ）でもどちらでも良い。
【００２０】
ここで、フレーム１０の内部の風路構成に関して説明する。
【００２１】
室内１０１の空気は、吸込口７の全周から室内の空気を吸い込み、オリフィス１４にかけて筒状の経路１５ａを通ってターボファン１１に吸い込まれ、ターボファン１１の全周に吹出し、オリフィス１４の外側の筒状の経路１５ｂを下方へ向って通り、ルーバー９の吹出口８の全周から室内１０１へ吹出す循環風路１６と、換気装置１０３からの空気はアダプタ２から流入し、循環風路１６の外側を通過して給気口６から室内１０１へ吹出す給気風路１７が構成される。
【００２２】
ここで、給気口６および吹出口８から吹出された空気は、天井１００に沿って吹き出され、すなわち、給気口６と吹出口８が天井方向へ向く形状になっており、一部は室内排気口１０７より室外へ排出する空気となるが、一部の空気が吸込口７から再び本体１に吸い込まれることにより、室内１０１の空気が循環することとなる。
【００２３】
また、フレーム１０内の上方には、電動機１２およびイオン２２の発生を行う静電霧化手段１８をコントロールし主に電源制御などを行う制御基板１９と、静電霧化手段１８を内部に納める制御回路部２０を有する構成としている。
【００２４】
ここで、ターボファン１１から吹出された空気がルーバー９の吹出口８から室内１０１へ吹き出す際に、フレーム１０のイオン排出口２１から吹き出され静電霧化手段１８で生成されたイオン２２を付加して室内１０１へ供給される。
【００２５】
室内１０１へ供給されたイオン２２は、対象物１０９（例えば、臭いが付着した布など）に対し接触させることで、対象物１０９に対し効能（例えば、臭いが付着した布の脱臭など）を得ることができる。
【００２６】
対象物１０９に接触することの出来なかったイオン２２は、室内排気口１０７より室外へ排出されてしまうが、一部は吸込口７から吸い込まれることにより、吹出口８から室内１０１へ再度吹出すことにより、対象物１０９に対し接触させることが可能となる。
【００２７】
図４に示すように、本体１を天井１００の中心付近に設置することにより、吹き出す空気の流速が低下することにより壁面２３に当たる力を弱めて気流による汚れを防ぐとともに部屋の隅々までイオン２２を到達させることが可能となり、室内１０１の空気を換気しながらでも、循環する空気にイオン２２を付加することで、部屋全体にイオンによる効能を向上させることができる。
【００２８】
また、換気装置１０３が停止した状態、つまり給気流５が無い状態においても、ターボファン１１を動作させる電動機１２は、換気装置１０３の運転状態に関係なく動作できるため、吸込口７から吸い込まれた室内１０１の空気は、循環風路１６を経て、ルーバー９の吹出口８から室内１０１へ吹き出す際に、静電霧化手段１８で生成されフレーム１０のイオン排出口２１から吹き出されたイオン２２を付加して室内１０１へ供給するため、イオン２２を対象物１０９へ接触することができる。
【００２９】
なお、循環風路１６の気流によって、給気風路１７の気流が誘引されることにより、給気風路１７の圧力損失が低減させることができるとともに、イオン２２を室内１０１全体にいき渡せることができるので、イオンの効能を向上させることができる。
【００３０】
（実施の形態２）
図５〜７において、図１および図２と同様の構成要素については同一の符号を付し、その詳細な説明は省略する。
【００３１】
天井１００に本体１を埋め込み、アダプタ２をダクト３で接続し、天井１００からイオンを発生させるイオン発生装置に係るものであり、本体１は円筒状を有しており、下方にはフランジ４を有し、フランジ４の下方にはダクト３を介して室外からの給気流５を室内１０１へ供給する室内側開口としての給気口６と、室内から空気を吸込む吸込口７と、室内へ空気を吹出す吹出口８とを有する四角形状のルーバー９を設け、給気口６と吹出口８とが隣り合う２辺の交点が室内側の中心側に向くような開口をもち、吸込口７はルーバー９の中心側に開口を有する構造となっている。
【００３２】
室内１０１の風の流れを図５と図７にて説明する。
【００３３】
給気口６と吹出口８とが隣り合う２辺と対向する室内の壁面に向って流れる構成となっており、吸込口７から吸い込まれた室内１０１の空気は、循環風路１６を通過して吹出口８から天井に沿いながら対向する壁面２３ａに向かって吹き出る。
【００３４】
一方、熱交換形換気装置等の換気装置（図示せず）からダクト３を介して流れる給気流５は、給気風路１７を通過して給気口６から天井に沿いながら対向する壁面２３ｂに向かって吹き出る。
【００３５】
給気口６および吹出口８から吹出された空気の一部は室内排気口１０７より室外へ排出する空気となるが、一部の空気が吸込口７から吸い込まれることにより、室内１０１の空気が循環することとなる。
【００３６】
そして、給気口６もしくは吹出口８から室内１０１へ吹き出す際に、静電霧化手段１８で生成され、フレーム１０のイオン排出口２１から吹き出されたイオン２２を付加して室内１０１へ供給される。
【００３７】
室内１０１へ供給されたイオン２２は、対象物１０９（例えば、臭いが付着した布など）に対し接触することで、対象物１０９に対し効能（例えば、臭いが付着した布の脱臭など）を得ることができる。
【００３８】
対象物１０９に接触することの出来なかったイオン２２は、室内排気口１０７より室外へ排出されてしまうが、一部は吸込口７から吸い込まれることにより、吹出口８から室内１０１へ再度吹出すことにより、対象物１０９に対し接触することが可能となる。
【００３９】
図７に示すように、本体１を天井１００の室内排気口１０７側に設置することにより、壁面２３を気流によって汚れることなく部屋の隅々までイオン２２を到達させることが可能となり、室内１０１の空気を換気しながらでも、循環等の空気にイオン２２を付加することで、部屋全体にイオンによる効能を向上させることができる、とともに室内排気口１０７を室内扉（図示せず）のアンダーカット部分とすることで、ダクト３を短くすることができるのでコストを安く抑えることが可能となる。
【００４０】
（実施の形態３）
図８〜９に示すように、側壁面２５に本体１を埋め込み、熱交換形換気装置等の換気装置１０３（図示せず）と室外側開口としてのアダプタ２とをダクト３で接続し、側壁面２５からイオンを発生させるイオン発生装置に係るものである。
【００４１】
本体１は室内１０１面にルーバー９を露出している。ルーバー９には、ルーバー９の下側に室内１０１から空気を吸込む吸込口７があり、吸込口７より上側に、ダクト３を介して室外からの室外の給気流５を室内へ供給する室内側開口としての給気口６と、循環流の吹出口８と、イオン排出口２１が設けられている。
【００４２】
吹出口８と給気口６とイオン排出口２１は室内１０１の上方へ向けて空気を吹出す構造となっている。
【００４３】
本体１のフレーム１０には、遠心ファンとして円周状へ空気を吹き出す構成のターボファン１１と、ターボファン１１を回転させる電動機１２を有し、電動機１２を保持する側板２４をフレーム１０の側面側に設けたうえ、側板２４には電動機１２に接続するターボファン１１を組み込んで構成されている。
【００４４】
ここで、フレーム１０の内部の風路構成に関して説明する。室内１０１の空気は、ルーバー９の下側にある吸込口７から室内１０１の空気を吸い込み、オリフィス１４を通ってターボファン１１に吸い込まれ、ターボファン１１の全周に吹出し、ルーバー９上側にある吹出口８から室内１０１へ吹出す循環風路１６と、換気装置１０３（図示せず）からの空気はアダプタ２から流入し循環風路１６の上側風路を通過して給気口６から室内１０１へ吹出す給気風路１７と、イオン排出口２１から静電霧化手段１８で生成されたイオン２２が放出される風路で構成されている。
【００４５】
ここで、給気口６および吹出口８から吹出された空気およびイオン排出口２１から放出されたイオン２２は、天井１００に向かって吹き出され、すなわち、給気口６と吹出口８イオン排出口２１が天井１００方向へ向く形状になっており、一部は室内排気口１０７より室外へ排出する空気となるが、一部の空気がルーバー９の吹出口８より下側にある吸込口７から再び本体１に吸い込まれることにより、室内１０１の空気が循環することとなる。
【００４６】
室内１０１へ供給されたイオン２２は、対象物１０９（例えば、臭いが付着した布など）に対し接触させることで、対象物１０９に対し効能（例えば、臭いが付着した布の脱臭など）を得ることができる。
【００４７】
対象物１０９に接触することの出来なかったイオン２２は、室内排気口１０７より室外へ排出されてしまうが、一部は吸込口７から吸い込まれることにより、吹出口８から室内１０１へ再度吹出すことにより、対象物１０９に対し接触させることが可能となる。
【００４８】
冬期に給気する空気は、熱交換形換気装置により熱交換することで室内温度に近づくが、室内空気温度よりは低くなるために、居室に在室する人が直接当たると冷風感を感じる。また、室内１０１の温度は床から天井に向かって空気温度が高くなる温度勾配があるが、温度勾配がある方が暖房空調の負荷となる。
【００４９】
給気口６および吹出口８から吹出された空気およびイオン排出口２１から放出されたイオン２２をミキシングしかつ上方へ吹出すことで、室内の人への冷風感を低減し、室内１０１の温度ムラを低減しつつ、室内１０１全体にイオン２２を循環させ、イオン２２による効能を向上させることができる。
【産業上の利用可能性】
【００５０】
本発明にかかるイオン発生装置付き給気グリルは、給気用換気扇とか給気用送風機等に有用である。
【符号の説明】
【００５１】
１      本体
２      アダプタ
３      ダクト
４      フランジ
５      給気流
６      給気口
７      吸込口
８      吹出口
９      ルーバー
１０    フレーム
１１    ターボファン
１２    電動機
１３    天板
１４    オリフィス
１５ａ  経路
１５ｂ  経路
１６    循環風路
１７    給気風路
１８    静電霧化手段
１９    制御基板
２０  制御回路部
２１    イオン排出口
２２    イオン
２３    壁面
２４    側板
２５    側壁面
【図１】
2015135229.tif 000003
【図２】
2015135229.tif 000004
【図３】
2015135229.tif 000005
【図４】
2015135229.tif 000006
【図５】
2015135229.tif 000007
【図６】
2015135229.tif 000008
【図７】
2015135229.tif 000009
【図８】
2015135229.tif 000010
【図９】
2015135229.tif 000011
【図１０】
2015135229.tif 000012